(57)【要約】  装置は、細長いシャフトと位置センサとを含む。細長いシャフトは、長手方向軸線を画定する。細長いシャフトは、遠位端部、開口部、及びルーメンを含む。位置センサは、長手方向軸線から横方向にオフセットされる。第１の位置センサは、開口部から既知の距離で細長いシャフトに対して固定的に定着される。第１の位置センサは、三次元空間における細長いシャフトの位置を示す信号を生成するように構成されている。
2022501155.tif 000002
【特許請求の範囲】
【請求項１】
装置であって、
（ａ）長手方向軸線を画定する細長いシャフトであって、
（ｉ）遠位端部と、
（ｉｉ）開口部と、
（ｉｉｉ）ルーメンと、を含む、細長いシャフトと、
（ｂ）第１の位置センサであって、前記第１の位置センサは前記長手方向軸線から横方向にオフセットされており、前記第１の位置センサは、前記開口部から既知の距離で前記細長いシャフトに対して固定的に定着され、前記第１の位置センサは、前記細長いシャフトの三次元空間内の位置を示す信号を生成するように構成されている、第１の位置センサと、を備える装置。
【請求項２】
前記遠位端部が閉鎖され、前記開口部が前記遠位端部の近位にある、請求項１に記載の装置。
【請求項３】
前記ルーメン内に配設された切断要素を更に備え、前記切断要素は、前記細長いシャフトの前記開口部を通って突出する組織を切断するように構成されている、請求項１に記載の装置。
【請求項４】
前記切断要素が、切断縁部を有する横方向に配向された窓を含み、前記細長いシャフトの前記開口部は横方向に配向され、前記切断縁部と協働するように構成された縁部を含み、それによって、前記細長いシャフトの前記開口部を通って突出する組織を切断する、請求項３に記載の装置。
【請求項５】
前記切断要素が、前記ルーメン内で回転し、それによって、前記細長いシャフトの前記開口部を通って突出する組織を切断するように構成されている、請求項３に記載の装置。
【請求項６】
前記ルーメンと流体連通する真空源を更に備え、前記細長いシャフトは、前記細長いシャフトの前記開口部を通って前記真空源から吸引を適用するように動作可能である、請求項１に記載の装置。
【請求項７】
前記第１の位置センサが、ワイヤコイルを備える、請求項１に記載の装置。
【請求項８】
前記ワイヤコイルが、交流磁場に応答して電気信号を生成するように構成され、前記電気信号は、三次元空間内の前記細長いシャフトの位置を示す、請求項７に記載の装置。
【請求項９】
前記ワイヤコイルが第１のコイル軸の周囲に巻かれ、前記第１のコイル軸が前記細長いシャフトの前記長手方向軸線と平行である、請求項７に記載の装置。
【請求項１０】
第２の位置センサを更に備え、前記第２の位置センサは前記長手方向軸線から横方向にオフセットされており、前記第２の位置センサは、前記開口部から既知の距離で前記細長いシャフトに対して固定的に定着され、前記第２の位置センサは、前記細長いシャフトの三次元空間内の位置を示す信号を生成するように構成されている、請求項１に記載の装置。
【請求項１１】
前記第１の位置センサ及び前記第２の位置センサが、前記長手方向軸線を中心に互いから角度的にオフセットされている、請求項１０に記載の装置。
【請求項１２】
前記第１の位置センサ及び前記第２の位置センサが両方とも、前記細長いシャフトの長さに沿って同じ長手方向位置に位置している、請求項１１に記載の装置。
【請求項１３】
前記第１の位置センサが、第１のコイル軸を中心に巻かれた第１のワイヤコイルを備え、前記第２の位置センサは、第２のコイル軸を中心に巻かれた第２のワイヤコイルを備える、請求項１１に記載の装置。
【請求項１４】
前記第１のコイル軸及び前記第２のコイル軸が互いに平行である、請求項１３に記載の装置。
【請求項１５】
前記第１のコイル軸及び前記第２のコイル軸が前記長手方向軸線と平行である、請求項１３に記載の装置。
【請求項１６】
前記第１の位置センサが、第１のコイル軸を中心に巻かれた第１のワイヤコイルを備え、前記第２の位置センサは、第２のコイル軸を中心に巻かれた第２のワイヤコイルを備え、前記第１のコイル軸は前記長手方向軸線と平行であり、前記第２のコイル軸は前記第１のコイル軸に垂直である、請求項１０に記載の装置。
【請求項１７】
第３の位置センサを更に備え、前記第３の位置センサは前記長手方向軸線から横方向にオフセットされており、前記第３の位置センサは、前記開口部から既知の距離で前記細長いシャフトに対して固定的に定着され、前記第３の位置センサは、前記細長いシャフトの三次元空間内の位置を示す信号を生成するように構成されている、請求項１０に記載の装置。
【請求項１８】
前記第１の位置センサ、前記第２の位置センサ、及び前記第３の位置センサが、前記長手方向軸線を中心に延在する螺旋に沿って配置されている、請求項１７に記載の装置。
【請求項１９】
装置であって、
（ａ）長手方向軸線を画定する第１の細長いシャフトであって、
（ｉ）遠位端部と、
（ｉｉ）開口部と、を含む、第１の細長いシャフトと、
（ｂ）前記第１の細長いシャフト内に配設された第２の細長いシャフトであって、前記第２の細長いシャフトは前記第１の細長いシャフト内で回転可能であり、前記第２の細長いシャフトは切断縁部を含み、前記切断縁部は、前記開口部を通って突出する組織を切断するように構成されている、第２の細長いシャフトと、
（ｃ）位置センサであって、前記位置センサは前記長手方向軸線から横方向にオフセットされ、前記位置センサは、前記開口部から既知の距離で前記第１の細長いシャフトに対して固定的に定着され、前記位置センサは、前記第１の細長いシャフトの三次元空間内の位置を示す信号を生成するように構成されている、位置センサと、を備える装置。
【請求項２０】
装置であって、
（ａ）長手方向軸線を画定する細長いシャフトであって、
（ｉ）遠位端部と、
（ｉｉ）開口部と、
（ｉｉｉ）ルーメンと、を含む、細長いシャフトと、
（ｂ）第１の位置センサであって、前記第１の位置センサは前記長手方向軸線から横方向にオフセットされており、前記第１の位置センサは、前記開口部から既知の距離で前記細長いシャフトに対して固定的に定着され、前記第１の位置センサは、前記細長いシャフトの三次元空間内の位置を示す信号を生成するように構成されている、第１の位置センサと、
（ｃ）第２の位置センサであって、前記第２の位置センサは前記長手方向軸線から横方向にオフセットされており、前記第２の位置センサは、前記開口部から既知の距離で前記細長いシャフトに対して固定的に定着され、前記第２の位置センサは、前記細長いシャフトの三次元空間内の位置を示す信号を生成するように構成されている、第２の位置センサと、を備えており、
前記第２の位置センサは、長手方向寸法又は角度寸法の一方又は両方に沿って前記第２の位置センサからオフセットされている、装置。
【発明の詳細な説明】
【技術分野】
【０００１】
（優先権）
本出願は、米国特許仮出願第６２／７４１，５９４号、表題「Ｈｏｌｌｏｗ  Ｔｕｂｅ  Ｓｕｒｇｉｃａｌ  Ｉｎｓｔｒｕｍｅｎｔ  ｗｉｔｈ  Ｓｉｎｇｌｅ  Ａｘｉｓ  Ｓｅｎｓｏｒ」（２０１８年１０月５日出願）に対する優先権を主張するものであり、その開示が全体として本明細書に参考として組み込まれる。
【背景技術】
【０００２】
画像誘導手術（ＩＧＳ）は、コンピュータを用いて、患者の身体内に挿入された器具の位置の、術前に得られた画像（例えば、ＣＴスキャン又はＭＲＩスキャン、３Ｄマップなど）のセットに対するリアルタイムの相関を得ることで、コンピュータシステムが器具の現在の位置を術前に得られた画像に重ねる技術である。ＩＧＳ処置で使用できる電磁ＩＧＳナビゲーションシステムの例は、Ｂｉｏｓｅｎｓｅ−Ｗｅｂｓｔｅｒ，Ｉｎｃ．（Ｉｒｖｉｎｅ，Ｃａｌｉｆｏｒｎｉａ）によるＣＡＲＴＯ（登録商標）３  Ｓｙｓｔｅｍである。いくつかのＩＧＳ処置では、術野のデジタルトモグラフィスキャン（例えば、ＣＴ又はＭＲＩ、３Ｄマップなど）を外科手術の前に得る。次に、特別にプログラムされたコンピュータを用いて、デジタルトモグラフィスキャンデータをデジタルマップに変換する。外科手術中、センサ（例えば、電磁気を発生させる及び／又は外部で発生した電磁気に反応する電磁コイル）を有する特別な器具を用いて処置を実行し、同時に、センサがコンピュータに各手術用器具の現在位置を示すデータを送る。コンピュータは、センサから受信したデータを、術前トモグラフィスキャンから作成されたデジタルマップと相関付ける。トモグラフィスキャン画像は、スキャン画像内に示される解剖学的構造に対する各手術用器具の実時間位置を示す指標（例えば、クロスヘア又は照明ドットなど）と共に、ビデオモニタ上に表示される。したがって、外科医が器具自体を体内のその現在の位置において直接視覚化することができない場合であっても、ビデオモニタを見ることによって、各センサ搭載器具の正確な位置を知ることができる。
【０００３】
鼻腔又はその他の処置領域内の病変、ポリープ及び類線維腫の除去のために構成された外科用切断器具は、管状外側部材内に回転可能に同軸上に配設された細長い内側部材を含んでもよい。この外側部材の遠位端部は開口部を含んでもよく、内側部材の遠位端部は、対応する切断縁部を含んでもよい。切断縁部の位置及び配向は、処置の成功にとって重要であるため、ＩＧＳナビゲーションシステムはまた、患者の鼻腔内などの、限定された可視性の処置領域で使用される外科用切断器具を伴う処置において特に有用であり得る。ＩＧＳナビゲーションシステムが外科用切断器具などの医療用器具と共に使用される場合であっても、原因が人的エラー（例えば、医療器具の意図しない動き、若しくは意図的であるが誤った動きなど）、又は機器エラー（例えば、内視鏡視野の不明瞭化若しくは故障、ＩＧＳナビゲーションシステムのディスプレイの故障など）であるかどうかという、処置結果に影響を及ぼし得るエラーの可能性が依然として存在する。したがって、外科的処置に関連するリスクを更に低減するために、追加の安全機構を有するＩＧＳナビゲーションシステムを提供することが有利であり得る。
【０００４】
外科的処置において、いくつかのシステム及び方法が製造及び使用されてきたが、本発明者ら以前に、添付の特許請求の範囲に記載される発明を製造又は使用した者はいないと考えられる。
【図面の簡単な説明】
【０００５】
本明細書は、本発明を具体的に示し、明確にその権利を請求する特許請求の範囲をもって結論とするものであるが、本発明は以下の特定の実施例の説明を添付図面と併せ読むことでより深い理解が得られるものと考えられるが、図中、同様の参照番号は同様の要素を示す。
【図１】例示的な医療処置チェアに着座した患者に使用される例示的な手術ナビゲーションシステムの概略図を示す。
【図２】ハンドルアセンブリと、第１のシャフトアセンブリと、を有する、例示的な外科用切断器具の斜視図を示す。
【図３】シャフト及び切断部材を有する、図２のシャフトアセンブリの部分分解斜視図を示す。
【図４】図２のシャフトアセンブリに組み込むことができる例示的代替外側シャフトの遠位部分の斜視図を示す。
【図５】図４の外側シャフトの遠位部分の側面立面図を示す。
【図６】図２のシャフトアセンブリに組み込むことができる別の例示的代替外側シャフトの遠位端部の斜視図を示す。
【図７】図６の外側シャフトの遠位部分の上平面図を示す。
【図８】図２のシャフトアセンブリに組み込むことができる別の例示的代替外側シャフトの遠位部分の斜視図を示す。
【図９】図２のシャフトアセンブリに組み込むことができる別の例示的代替外側シャフトの遠位端部の透視図を示す。
【０００６】
図面は、いかなる方式でも限定することを意図しておらず、本発明の種々の実施形態は、図面に必ずしも描写されていないものを含め、その他の種々の方式で実施し得ることが想到される。本明細書に組み込まれ、その一部をなす添付図面は、本発明のいくつかの態様を図示したものであり、本説明文と共に本発明の原理を説明する役割を果たすものである。しかし、本発明が、示される正確な配置に限定されない点は理解される。
【発明を実施するための形態】
【０００７】
本発明の特定の実施例の以下の説明文は、本発明の範囲を限定する目的で用いられるべきではない。本発明のその他の実施例、特徴、態様、実施形態、及び利点は、本発明を実施するために想到される最良の形態の１つを実例として示す以下の説明文より、当業者には明らかとなろう。理解されるように、本発明は、いずれも本発明から逸脱することなく、その他の異なるかつ明白な態様が可能である。したがって、図面及び説明は、限定的な性質のものではなく、例示的な性質のものと見なされるべきである。
【０００８】
用語「近位」及び「遠位」は、本明細書では、ハンドピースアセンブリを把持している臨床医を基準にして使用されることが理解されるであろう。すなわち、エンドエフェクタは、より近位のハンドピースアセンブリに対して遠位側にある。便宜上及び明確さのために、「上部」及び「下部」などの空間用語もまた、本明細書において、ハンドピースアセンブリを把持している臨床医を基準にして使用されていることが更に理解されるであろう。しかしながら、外科器具は、多くの向き及び位置で使用されるものであり、これらの用語は、限定的かつ絶対的なものであることを意図するものではない。
【０００９】
本明細書に記載の教示、表現、変形形態、実施例などのうちのいずれか１つ以上を、本明細書に記載の他の教示、表現、変形形態、実施例などのうちのいずれか１つ以上と組み合わせることができる点も、更に理解される。したがって、以下に記載されている教示、表現、変形形態、実施例などは、互いに独立して考慮されるべきではない。本明細書の教示を考慮することで、本明細書の教示を組み合わせることができる種々の好適な方式が、当業者には容易に明らかとなろう。このような修正及び変形形態は、「特許請求の範囲」内に含まれるものとする。
【００１０】
Ｉ．例示的な画像誘導手術ナビゲーションシステム
患者（Ｐ）の頭部（Ｈ）内で医療処置を実施する場合、特に器具が患者（Ｐ）の頭部（Ｈ）内の器具の作業要素の内視鏡視野を得ることが困難又は不可能である位置にある場合に、患者（Ｐ）の頭部（Ｈ）内の器具の位置に関する情報を有することが望ましい場合がある。図１は、画像誘導を使用してＥＮＴ手技の実施を可能にする例示的なＩＧＳナビゲーションシステム（１００）を示す。場合によっては、ＩＧＳナビゲーションシステム（１００）は、患者の鼻腔内の洞又は患者の鼻腔内のその他の場所で組織をそぎ取る又は創面切除するための外科用切断装置の使用を伴う外科的処置に使用される。本明細書に記載された構成要素及び動作性を有することに加えて又はこれに代えて、ＩＧＳナビゲーションシステム（１００）は、その開示が全体として本明細書に参考として組み込まれる米国特許第７，７２０，５２１号、表題「Ｍｅｔｈｏｄｓ  ａｎｄ  Ｄｅｖｉｃｅｓ  ｆｏｒ  Ｐｅｒｆｏｒｍｉｎｇ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２０１０年５月１８日出願）、及び／又は、その開示が全体として本明細書に参考として組み込まれる、米国特許公開第２０１４／０３６４７２５号、表題「Ｓｙｓｔｅｍｓ  ａｎｄ  Ｍｅｔｈｏｄｓ  ｆｏｒ  Ｐｅｒｆｏｒｍｉｎｇ  Ｉｍａｇｅ  Ｇｕｉｄｅｄ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２０１４年１２月１１日公開（現在権利放棄済み））の技術の少なくともいくつかの教示により構成され、動作可能であり得る。
【００１１】
本実施例のＩＧＳナビゲーションシステム（１００）は、馬蹄形フレーム（２０４）に一体化された一式の磁場発生器（２０６）を含む磁場発生器アセンブリ（２００）を含む。磁場発生器（２０６）は、患者（Ｐ）の頭部（Ｈ）の周りに異なる周波数の交流磁場を発生させるように動作可能である。本実施例では、ナビゲーションガイドワイヤ（１３０）が患者（Ｐ）の頭部（Ｈ）に挿入される。ナビゲーションガイドワイヤ（１３０）は、独立型装置であってもよい、又は外科用切断器具若しくは拡張器具などの医療器具のエンドエフェクタ又はその他の位置に配置されてもよい。本実施例では、フレーム（２０４）が椅子（３００）に装着され、フレーム（２０４）が患者（Ｐ）の頭部（Ｈ）に隣接して配置されるように患者（Ｐ）は椅子（３００）に着座する。単に一例として、チェア（３００）及び／又は磁場発生器アセンブリ（２００）は、その開示が全体として本明細書に参考として組み込まれる、米国特許公開第２０１８／０３１０８８６号、表題「Ａｐｐａｒａｔｕｓ  ｔｏ  Ｓｅｃｕｒｅ  Ｆｉｅｌｄ  Ｇｅｎｅｒａｔｉｎｇ  Ｄｅｖｉｃｅ  ｔｏ  Ｃｈａｉｒ」（２０１８年１１月１日公開）の少なくともいくつかの教示に従って構成され、動作可能であり得る。
【００１２】
本実施例のＩＧＳナビゲーションシステム（１００）は、ＩＧＳナビゲーションシステム（１００）の磁場発生器（２０６）及びその他の要素を制御するプロセッサ（１１０）を更に含む。例えば、プロセッサ（１１０）は、磁場発生器（２０６）を駆動して交流電磁場を発生させ、ナビゲーションガイドワイヤ（１３０）からの信号を処理して患者（Ｐ）の頭部（Ｈ）内におけるナビゲーションガイドワイヤ（１３０）内のセンサの場所を判定するように、動作可能である。プロセッサ（１１０）は、１つ以上のメモリと通信する処理ユニットを含む。本実施例のプロセッサ（１１０）は、キーパッド及び／又はマウス若しくはトラックボールなどのポインティング装置を含む動作制御部（１１２）を含むコンソール（１１６）内に装着されている。医師は、外科的処置を行いながら、プロセッサ（１１０）と相互作用する動作制御部（１１２）を使用する。
【００１３】
ナビゲーションガイドワイヤ（１３０）は、磁場発生器（２０６）によって発生された交流電磁場内の位置決めに応答するセンサ（図示せず）を含む。連結ユニット（１３２）はナビゲーションガイドワイヤ（１３０）の近位端部に固定され、コンソール（１１６）とナビゲーションガイドワイヤ（１３０）との間のデータ及びその他の信号の通信を提供するように構成されている。連結ユニット（１３２）は、データ及びその他の信号の有線又は無線通信を提供することができる。
【００１４】
本例では、ナビゲーションガイドワイヤ（１３０）のセンサは、ナビゲーションガイドワイヤ（１３０）の遠位端部に少なくとも１つのコイルを含む。このようなコイルが磁場発生器（２０６）によって生成された交流電磁場の中に配置されると、交流磁場がコイルの中に電流を発生させ、この電流は、ナビゲーションガイドワイヤ（１３０）内の電気導管（複数可）に沿って、連結ユニット（１３２）を介してプロセッサ（１１０）に更に伝送され得る。本現象により、ＩＧＳナビゲーションシステム（１００）は、三次元空間内（すなわち、患者（Ｐ）の頭部（Ｈ）内等）におけるナビゲーションガイドワイヤ（１３０）又はその他の医療器具（拡張器具、外科用切断器具など）の遠位端部の場所を決定することができる。これを達成するため、プロセッサ（１１０）は、ナビゲーションガイドワイヤ（１３０）の遠位端部の位置座標を、ナビゲーションガイドワイヤ（１３０）内のコイル（複数可）の位置関連信号から計算するアルゴリズムを実行する。この例では、位置センサが、ガイドワイヤ（１３０）内に配置されているが、このような位置センサは、種々のその他の種類の器具に統合されてもよい。単に一例として、以下でより詳細に説明するように、１つ以上の位置センサが外科用切断器具（１０）に組み込まれてもよい。
【００１５】
プロセッサ（１１０）は、プロセッサ（１１０）のメモリに記憶されたソフトウェアを使用して、ＩＧＳナビゲーションシステム（１００）を較正及び操作する。このような操作は、磁場発生器（２０６）を駆動することと、ナビゲーションガイドワイヤ（１３０）からのデータを処理することと、動作制御部（１１２）からのデータを処理することと、ディスプレイスクリーン（１１４）を駆動することと、を含む。いくつかの実装形態では、動作はまた、ＩＧＳナビゲーションシステム（１００）の１つ以上の安全機構又は機能の監視及び施行も含み得る。プロセッサ（１１０）は、患者の頭部（Ｈ）のビデオカメラ画像、患者の頭部（Ｈ）のＣＴスキャン画像、及び／又は患者の鼻腔内及び患者の鼻腔に隣接する解剖学的構造のコンピュータ生成三次元モデルに関してナビゲーションガイドワイヤ（１３０）の遠位端部の位置を示すディスプレイスクリーン（１１４）を介して、実時間でビデオを提供するように、更に動作可能である。ディスプレイスクリーン（１１４）は、外科的処置中にこのような画像を同時に及び／又は互いに重ねて表示することができる。このように表示される画像は、ナビゲーションガイドワイヤ（１３０）などの患者の頭部（Ｈ）に挿入される器具のグラフィック表示も含んでもよく、こうして、操作者は、その実際の位置で、実時間で器具の仮想レンダリングを見ることができる。単に一例として、ディスプレイスクリーン（１１４）は、その開示が全体として本明細書に参考として組み込まれる米国特許公開第２０１６／０００８０８３号、表題「Ｇｕｉｄｅｗｉｒｅ  Ｎａｖｉｇａｔｉｏｎ  ｆｏｒ  Ｓｉｎｕｐｌａｓｔｙ」（２０１６年１月１４日公開）の少なくともいくつかの教示に従って画像を提供してもよい。操作者が内視鏡も使用している場合には、内視鏡画像をディスプレイスクリーン（１１４）に表示することもできる。
【００１６】
ディスプレイスクリーン（１１４）によって提供される画像は、操作者が患者の頭部内で器具を操縦する、及びその他の方法で操作する手助けとなり得る。後述のように、シャフトアセンブリ（１６）を含むがこれに限定されない、外科用切断器具（１０）のその他の構成要素は、ガイドワイヤ（１３０）のセンサ様のセンサを組み込んでもよいこともまた、理解されるべきである。
【００１７】
ＩＩ．例示的な外科用切断器具
図２〜図３は、鼻腔並びにその他の任意の好適な位置から骨組織などの組織を除去するのに使用可能な、外科用切断器具（１０）を示す。外科用切断器具（１０）は、ＩＧＳナビゲーションシステム（１００）などのＩＧＳナビゲーションシステムと共に使用されてもよい。ＩＧＳナビゲーションシステム（１００）との使用を可能にするために、外科用切断器具（１０）がどのように１つ以上の位置センサを組み込むことができるかの例を、以下でより詳細に説明する。本実施例の外科用切断器具（１０）は、ハンドルアセンブリ（１２）と、ハブ（１４）と、ハンドルアセンブリ（１２）から遠位方向に延在する第１のシャフトアセンブリ（１６）と、を含む。ハンドルアセンブリ（１２）は、任意の適切な構成であり得るハンドル（１８）を有する。ハンドル（１８）は、外科用切断器具（１０）の操作のための制御部を備えていてもよい、又は制御部は、遠隔に配置されていてもよい。外科用切断器具（１０）は更に、真空源（２２）に動作可能に接続され、かつ手術部位から骨組織などの組織を吸引することを可能にするよう構成された、吸引ポート（２０）を更に含む。回転運動は、本実施例では、ハンドルアセンブリ（１２）内の電動式駆動アセンブリ（２４）によってシャフトアセンブリ（１６）に送達される。動力源（２６）は、使用のために外科用切断器具（１０）に動力を供給するよう、電動式駆動アセンブリ（２４）に接続される。
【００１８】
シャフトアセンブリ（１６）は一般に、外側シャフト（２８）及び内側切断部材（３０）を含み、これらは合わせて、手術部位から組織を受容して除去するように構成される。管として示される切断部材（３０）は、シャフト（２８）の長手方向に延在するルーメン（３２）内に配設される。切断部材（３０）は、遠位部分でシャフトアセンブリ（１６）の長手方向軸線（４２）の周囲で回転するように構成されている。外側シャフト（２８）は、切断部材（３０）が長手方向軸線（４２）の周囲を回転する際に、回転的に静止したままである。シャフトアセンブリ（１６）は剛体として示されているが、シャフトアセンブリ（１６）の全て又は一部は可撓性であってもよい。切断部材（３０）は、ルーメンを画定し、ハンドルアセンブリ（１２）へと近位方向に延在して、電動式駆動アセンブリ（２４）に連結され、これが切断部材（３０）をシャフト（２８）に対して回転駆動させる。
【００１９】
シャフト（２８）は、シャフト窓開口部（５０）を有する窓領域（４８）を含む。管状側壁部（５１）は、一般に、半球状の端部（５２）で遠位方向に終端する。シャフト窓開口部（５０）は、シャフト（２８）の管状側壁部（５１）を通って中央ルーメン（４０）内に延在し、シャフト（２８）を包囲する環境と流体連通している。シャフト窓開口部（５０）は、長手方向軸線（４２）に対して径方向外側を向いており、これにより組織は、シャフト窓開口部（５０）を通って中央ルーメン（４０）内へ径方向内側へと、径方向に受容されてもよい。シャフト窓開口部（５０）は、比較的鈍い縁部（５３）によって囲まれている。いくつかのその他の変形形態では、縁部（５３）は鋭利である。
【００２０】
切断部材（３０）は、切断部材（３０）の遠位部分に、切断窓開口部（５４）を含む。切断部材（３０）は中空であり、したがって、開口部（５４）と流体連通している内側ルーメンを画定する。切断窓開口部（５４）は、シャフト窓開口部（５０）と長手方向に整列するように構成されており、それに沿って延在する切断縁部（５８）を含む。切断部材（３０）が長手方向軸線（４２）の周囲を回転又は振動した場合、切断縁部（５８）の少なくとも一部が、窓領域（４８）の少なくとも一部に隣接し、これを横切って移動するように配設される。例として、切断部材（３０）が時計方向に動くと、窓領域（４８）の縁部（５３）は、切断縁部（５８）に対向する面を提供し、これによって組織が切断されて、そこから切断組織部分が除去され得る。換言すれば、縁部（５３、５８）は協働して、開口部（５０、５４）を通って突出する組織を切断する剪断作用を提供することができる。
【００２１】
図２〜図３を引き続き参照すると、真空源（２２）は、吸引ポート（２０）に向かって、長手方向軸線（４２）に沿った近位方向における切断部材（３０）の内側ルーメンを通ったセクションを発生させる。いったん組織が窓開口部（５４）にそれぞれ導入されると、吸引力により組織が切除のために窓開口部（５４）内に効果的に引き込まれるが、このとき組織はルーメンに沿った気流を遮断する。単に一例として、切断部材（３０）のルーメンを通過する気流、及びそのような気流を改善するための吸引通気孔は、その開示が全体として本明細書に参考として組み込まれる、米国特許公開第２０１９／０１２５３９１号、表題「Ｔｉｓｓｕｅ  Ｓｈａｖｉｎｇ  Ｉｎｓｔｒｕｍｅｎｔ」（２０１９年５月２日公開）の少なくともいくつかの教示に従って提供されてもよい。
【００２２】
制御モジュール（２５）は、ハンドルアセンブリ（１２）と共に収容されてもよく、内側切断部材（３０）の回転を駆動する電動式駆動アセンブリ（２４）に電気的に接続されている。外科用切断器具（１０）の制御部からの信号、ＩＧＳナビゲーションシステム（１００）からの信号、又は別の装置、センサ、若しくはソースからの信号に基づいて、制御モジュール（２５）は、それによって、内側切断部材（３０）の回転に命令して、操作者によって提供される入力にかかわらず、内側切断部材（３０）の回転駆動を停止させる、又は単に回転を阻止する。
【００２３】
ＩＩＩ．シェービング器具内の位置センサの統合
上述のように、患者（Ｐ）の頭部（Ｈ）内の器具の位置に関する情報を有することが望ましい場合がある。また上述したように、ＩＧＳナビゲーションシステム（１００）は、ディスプレイスクリーン（１１４）を介して実時間でビデオを提供することによって、このような情報を提供することができ、患者の頭部（Ｈ）内の解剖学的構造の画像に対して器具（例えば、ナビゲーションガイドワイヤ（１３０））の遠位端部の位置を示す。外科用切断器具（１０）様の器具が使用される手順では、一般に、シャフトアセンブリ（１６）の遠位端部の位置を示す情報を提供することに加えて、シャフト窓開口部（５０）の位置及び向きを示す情報を医師に提供することが有益であり得る。これにより、医師は、切断器具を用いて除去することを医師が望む組織／骨／等に関連して、より正確にシャフト窓開口部（５０）を位置付けることを可能にし得る。これを達成するために、シャフトアセンブリ（１６）は、上述のガイドワイヤ（１３０）の位置センサ様の１つ以上の位置センサを組み込むように修正されてもよい。シェービング器具が、どのように位置センサを組み込むことができるかのいくつかの実施例は、その開示が全体として本明細書に参考として組み込まれる、米国特許公開第２０１９／０１７５２８２号、表題「Ｔｉｓｓｕｅ  Ｓｈａｖｉｎｇ  Ｉｎｓｔｒｕｍｅｎｔ  ｗｉｔｈ  Ｎａｖｉｇａｔｉｏｎ  Ｓｅｎｓｏｒ」（２０１９年６月１３日公開）に記載されている。以下では、外科用切断器具（１０）のシャフトアセンブリ（１６）が、ＩＧＳナビゲーションシステム（１００）と通信するための１つ以上の位置センサを組み込んでもよい、方法の種々のその他の実施例が記載されている。
【００２４】
以下の実施例は、外科用切断器具（１０）の文脈で提供されるものであるが、次の教示は、種々のその他の種類の器具に容易に適用することができる。単に一例として、１つ以上の位置センサは、以下の教示に従って吸引器具及び／又は種々のその他の種類の器具に組み込まれてもよい。以下の教示が吸引器具及び／又はその他の種類の器具に適用され得る種々の好適な方法が、当業者には明らかとなろう。
【００２５】
Ａ．単一オフセット位置センサを有する例示的な切断器具シャフト
図４〜図５は、外側シャフト（２８）の代わりに、シャフトアセンブリ（１６）に組み込むことができる、例示的な代替外側シャフト（４００）を示す。本実施例の外側シャフト（４００）は、下記で説明する差異を除いては外側シャフト（２８）と全く同様に構成され、かつ動作可能であってもよい。本実施例の外側シャフト（４００）は、丸みを帯びた遠位端部（４１２）を有する円柱状本体（４１０）を含む。横方向に配向された窓開口部（４２０）は、遠位端部（４１２）のすぐ近位に形成される。開口部（４２０）は、縁部（４２２）によって画定される。いくつかの変形形態では、縁部（４２２）の少なくとも一部は鋭利である。
【００２６】
外側シャフト（４００）は、切断部材（３０）を受容するように構成されており、ハンドルアセンブリ（１２）に対して固定して定着されるように構成されている。開口部（４２０）は、切断部材（３０）の窓開口部（５４）のサイズ及び位置に対応するように寸法決め及び位置決めされる。駆動アセンブリ（２４）は、切断部材（３０）を駆動して外側シャフト（４００）内で回転させることができる。真空源（２２）は、組織を開口部（５４、４２０）内に引き込むことを支援するために起動されてもよく、縁部（５８、４２２）は、切断部材（３０）が外側シャフト（４００）内で回転する際に開口部（５４、４２０）内に引き込まれる組織等を剪断するように協働してもよい。
【００２７】
外側シャフト（２８）とは異なり、本実施例の外側シャフト（４００）は、位置センサ（４３０）を含む。位置センサ（４３０）は、開口部（４２０）の近位にある外側シャフト（４００）の遠位端部（４１２）の近くに位置する。位置センサ（４３０）の位置は、本実施例では、開口部（４２０）の中心から一定の距離（ｄ１）に固定されている。本文脈において、用語「固定された」とは、製造プロセスが完了した後に位置センサ（４３０）が本体（４１０）に対して移動しないことを示すことを意味し、その結果、距離（ｄ１）は、外科用切断器具の動作中に変化しないことを示すことを意味する。いくつかの変形形態では、距離（ｄ１）は所定である。いくつかの他の変形形態では、距離（ｄ１）は所定ではなく、１つの外科用切断器具から別の外科用切断器具までわずかに変化してもよく、例えば、製造公差から予想され得る。このようなシナリオでは、所与の外科用切断器具は、外科用切断器具が医療処置で使用される前に、製造プロセスが完了した後に較正され得る。このような較正プロセスを使用して、手元の特定の外科用切断器具の距離（ｄ１）の正確な値を決定することができる。本明細書の教示を考慮することで、このような較正可能性が実行され得る種々の好適な方法が、当業者には明らかとなろう。
【００２８】
距離（ｄ１）の正確な値を含む（が必ずしもこれらに限定されない）、上述の較正プロセス中に収集された情報は、外科用切断器具自体内に収容されたローカルメモリ装置に記憶することができる。単に一例として、ハンドルアセンブリ（１２）（又はいくつかのその他の構成要素）は、較正情報が記憶されるＥＥＰＲＯＭを含んでもよい。あるいは、その他の任意の好適な種類の記憶装置、その他の任意の好適な位置で使用することもできる。医療処置の開始時に、プロセッサ（１１０）は、記憶装置に問い合わせて、手元の外科用切断器具から較正データを取得することができ、またこのデータを考慮して、位置センサ（４３０）からの信号を処理して、医師に提示される位置データが可能な限り正確であることを確実にすることができる。手元の特定の外科用切断器具の距離（ｄ１）が、較正プロセスを通して前もって決定された又は決定されたかどうかにかかわらず、手元の特定の外科用切断器具の距離（ｄ１）は、医師が外科用切断器具を用いた医療処置を行う前に、プロセッサ（１１０）によって「既知」であり得る。
【００２９】
位置センサ（４３０）は、磁場発生器（２０６）によって発生した交流電磁場に応答して電流を発生させるように構成されたコイルを含んでもよく、これにより、位置センサ（４３０）は、患者（Ｐ）の頭部（Ｈ）内の外側シャフト（４００）の遠位端部（４１２）の位置を示す電気信号を生成し得る。更に、位置センサ（４３０）の位置は、開口部（４２０）の中心から固定された距離（ｄ１）にあるため、位置センサ（４３０）からの信号はまた、患者（Ｐ）の頭部（Ｈ）内の開口部（４２０）の中心の位置もまた示すことができる。
【００３０】
プロセッサ（１１０）は、患者（Ｐ）の頭部（Ｈ）内の開口部（４２０）の中心の位置を示す位置センサ（４３０）からの情報を有し、プロセッサ（１１０）は、遠位端部（４１２）が患者（Ｐ）の頭部（Ｈ）内で移動する場合に、ディスプレイ（１１４）を駆動して、患者（Ｐ）の頭部（Ｈ）内の解剖学的構造の画像に対して、開口部（４２０）の中心の位置を実時間で描写してもよい。更に、開口部（４２０）の寸法及び構成は所定であり、またプロセッサ（１１０）が、患者（Ｐ）の頭部（Ｈ）内の開口部（４２０）の中心の位置を示すデータを有することから、プロセッサ（１１０）は、患者（Ｐ）の頭部（Ｈ）内の開口部（４２０）の位置をより明確かつ正確に示すために、開口部（４２０）のグラフィック表現を描写するようにディスプレイ（１１４）を駆動してもよい。
【００３１】
本実施例では、位置センサ（４３０）は、本体（４１０）の長手方向中心軸線（ＬＡ）から横方向にオフセットされている。したがって、外側シャフト（４００）が本体（４１０）の長手方向中心軸線（ＬＡ）の周囲を回転する場合（例えば、ハンドルアセンブリ（１２）を把持している操作者が器具（１０）全体を回転させる際）、位置センサ（４３０）はそのような動きを感知し、それによって、本体（４１０）の長手方向中心軸線（ＬＡ）の周囲の外側シャフト（４００）の角度位置を示す信号を提供する。換言すれば、位置センサ（４３０）は、本体（４１０）の長手方向中心軸線（ＬＡ）の周囲の開口部（４２０）の回転配向又は角度位置を示す。したがって、プロセッサ（１１０）は、患者の頭部内の開口部（４２０）の三次元位置を示すことに加えて、開口部（４２０）の回転配向又は角度位置を示すように、ディスプレイ（１１４）を駆動してもよい。このようなレンダリングにおいて、プロセッサ（１１０）は、開口部（４２０）の位置の強調表示を用いて、ディスプレイ（１１４）を駆動し、外側シャフト（４００）の形状及び開口部（４２０）の形状を与えてもよい。
【００３２】
上述のように、位置センサ（４３０）はコイルの形態をとることができ、ワイヤはコイル軸の周囲に巻かれる。本実施例では、位置センサ（４３０）のコイル軸は、本体（４１０）の長手方向中心軸線（ＬＡ）と平行である。あるいは、位置センサ（４３０）のコイル軸は、本体（４１０）の長手方向中心軸線（ＬＡ）と任意のその他の好適な関係を有してもよい。
【００３３】
位置センサ（４３０）は、外側シャフト（４００）内の切断部材（３０）の移動を妨げないように、本体（４１０）上又は本体（４１０）内に位置付けられる。単に一例として、位置センサ（４３０）は、本体（４１０）の内径に緊密に固定されてもよい。別の単なる例示的実施例として、位置センサ（４３０）は、本体（４１０）の側壁に直接一体化されてもよい。更に別の単なる例示的実施例として、位置センサ（４３０）は、本体（４１０）の外径に緊密に固定されてもよい。本明細書の教示を考慮することで、位置センサ（４３０）が本体（４１０）と固定的に連結され得る、又は本体（４１０）内にあり得るその他の好適な方法が、当業者には明らかとなろう。
【００３４】
位置センサ（４３０）は、少なくとも１つの電気導管（４３２）を介してＩＧＳナビゲーションシステム（１００）と通信する。単に一例として、電気導管（４３２）は、本体（４１０）の長さの少なくとも一部に沿って延びる１本以上のワイヤを備えてもよい。加えて、又は代替的に、電気導管（４３２）は、本体（４１０）上又は本体（４１０）内に形成された１つ以上の電気トレースを含んでもよい。本明細書の教示を考慮することで、電気導管（４３２）が取り得るその他の好適な形態が、当業者には明らかとなろう。いくつかの変形形態では、電気導管（４３２）は、有線通信を介してプロセッサ（１１０）と直接連結される。いくつかのその他の変形形態では、電気導管（４３２）は、連結ユニット（１３２）又はその他の無線通信装置などによって、プロセッサ（１１０）と無線で連結される。
【００３５】
Ｂ．オフセット位置センサ対を有する例示的な切断器具シャフト
図６〜７は、外側シャフト（２８）の代わりに、シャフトアセンブリ（１６）に組み込むことができる、別の例示的な代替外側シャフト（５００）を示す。本実施例の外側シャフト（５００）は、下記で説明する差異を除いては外側シャフト（２８）と全く同様に構成され、かつ動作可能であってもよい。本実施例の外側シャフト（５００）は、丸みを帯びた遠位端部（５１２）を有する円柱状本体（５１０）を含む。横方向に配向された窓開口部（５２０）は、遠位端部（５１２）のすぐ近位に形成される。開口部（５２０）は、縁部（５２２）によって画定される。いくつかの変形形態では、縁部（５２２）の少なくとも一部は鋭利である。
【００３６】
外側シャフト（５００）は、切断部材（３０）を受容するように構成されており、ハンドルアセンブリ（１２）に対して固定して定着されるように構成されている。開口部（５２０）は、切断部材（３０）の窓開口部（５４）のサイズ及び位置に対応するように寸法決め及び位置決めされる。駆動アセンブリ（２４）は、切断部材（３０）を駆動して外側シャフト（５００）内で回転させることができる。真空源（２２）は、組織を開口部（５４、５２０）内に引き込むことを支援するために起動されてもよく、縁部（５８、５２２）は、切断部材（３０）が外側シャフト（５００）内で回転する際に開口部（５４、５２０）内に引き込まれる組織等を剪断するように協働してもよい。
【００３７】
外側シャフト（２８）とは異なり、本実施例の外側シャフト（５００）は、位置センサの対（５３０、５４０）を含む。位置センサ（５３０、５４０）は、開口部（５２０）の近位にある外側シャフト（５００）の遠位端部（５１２）の近くに位置する。位置センサ（５３０、５４０）は、互いに横方向にオフセットされているが、本実施例では同じ長手方向位置にあり、これは単に任意である。位置センサ（５３０、５４０）は、導管（５５０）を介してノード（５５２）と連結されるが、これは、本体（５１０）の側壁に沿って円周方向に延在する。別の導管（５５４）もまた、ノード（５５２）と連結される。導管（５５４）は、ＩＧＳナビゲーションシステム（１００）と更に連結されている。
【００３８】
位置センサ（５３０、５４０）の位置は、本実施例では本体（５１０）に対して固定されている。したがって、本実施例では、ノード（５５２）と開口部（５２０）の中心との間の距離（ｄ２）が固定される。同様に、本実施例では、位置センサ（５３０、５４０）間の距離（ｄ３）が固定されている。この文脈において、用語「固定された」とは、製造プロセスが完了した後に位置センサ（５３０、５４０）が本体（５１０）に対して移動しないことを示すことを意味し、その結果、外科用切断器具の動作中に距離（ｄ２、ｄ３）は変化しないことを示すことを意味する。いくつかの変形例では、距離（ｄ２、ｄ３）は所定である。いくつかの他の変形形態では、距離（ｄ２、ｄ３）は所定ではなく、１つの外科用切断器具から別の外科用切断器具までわずかに変化してもよく、例えば、製造公差から予想され得る。このようなシナリオでは、所与の外科用切断器具は、外科用切断器具が医療処置で使用される前に、製造プロセスが完了した後に較正され得る。このような較正プロセスを使用して、手元の特定の外科用切断器具の距離（ｄ２、ｄ３）の正確な値を決定することができる。本明細書の教示を考慮することで、このような較正可能性が実行され得る種々の好適な方法が、当業者には明らかとなろう。
【００３９】
距離（ｄ２、ｄ３）の正確な値を含む（が必ずしもこれらに限定されない）、上述の較正プロセス中に収集された情報は、外科用切断器具自体内に収容されたローカルメモリ装置に記憶することができる。単に一例として、ハンドルアセンブリ（１２）（又はいくつかのその他の構成要素）は、較正情報が記憶されるＥＥＰＲＯＭを含んでもよい。あるいは、その他の任意の好適な種類の記憶装置、その他の任意の好適な位置で使用することもできる。医療処置の開始時に、プロセッサ（１１０）は、記憶装置に問い合わせて、手元の外科用切断器具から較正データを取得することができ、またこのデータを考慮して、位置センサ（５３０、５４０）からの信号を処理して、医師に提示される位置データが可能な限り正確であることを確実にすることができる。手元の特定の外科用切断器具の距離（ｄ２、ｄ３）が、較正プロセスを通して前もって決定された又は決定されたかどうかにかかわらず、手元の特定の外科用切断器具の距離（ｄ２、ｄ３）は、医師が外科用切断器具を用いた医療処置を行う前に、プロセッサ（１１０）によって「既知」であり得る。
【００４０】
各位置センサ（５３０、５４０）は、磁場発生器（２０６）によって発生した交流電磁場に応答して電流を発生させるように構成されたコイルを含んでもよく、これにより、位置センサ（５３０、５４０）は、患者（Ｐ）の頭部（Ｈ）内の外側シャフト（５００）の遠位端部（５１２）の位置を示す電気信号を生成し得る。開口部（５２０）の中心に対するセンサ（５３０、５４０）の位置決めは既知であるため、位置センサ（５３０、５４０）からの信号はまた、患者（Ｐ）の頭部（Ｈ）内の開口部（５２０）の中心の位置を示してもよい。
【００４１】
プロセッサ（１１０）は、患者（Ｐ）の頭部（Ｈ）内の開口部（５２０）の中心の位置を示す位置センサ（５３０、５４０）からの情報を有し、プロセッサ（１１０）は、遠位端部（５１２）が患者（Ｐ）の頭部（Ｈ）内で移動する場合に、ディスプレイ（１１４）を駆動して、患者（Ｐ）の頭部（Ｈ）内の解剖学的構造の画像に対して、開口部（５２０）の中心の位置を実時間で描写してもよい。更に、開口部（５２０）の寸法及び構成は所定であり、またプロセッサ（１１０）が、患者（Ｐ）の頭部（Ｈ）内の開口部（５２０）の中心の位置を示すデータを有することから、プロセッサ（１１０）は、患者（Ｐ）の頭部（Ｈ）内の開口部（５２０）の位置をより明確かつ正確に示すために、開口部（５２０）のグラフィック表現を描写するようにディスプレイ（１１４）を駆動してもよい。
【００４２】
本実施例では、位置センサ（５３０、５４０）は、本体（５１０）の長手方向中心軸から横方向にオフセットされている。したがって、外側シャフト（５００）が本体（５１０）の長手方向中心軸線の周囲を回転する場合（例えば、ハンドルアセンブリ（１２）を把持している操作者が器具（１０）全体を回転させる際）、位置センサ（５３０、５４０）はそのような動きを感知し、それによって、本体（５１０）の長手方向中心軸線の周囲の外側シャフト（５００）の角度位置を示す信号を提供する。換言すれば、位置センサ（５３０、５４０）は、本体（５１０）の長手方向中心軸線の周囲の開口部（５２０）の回転配向又は角度位置を示す。したがって、プロセッサ（１１０）は、患者の頭部内の開口部（５２０）の三次元位置を示すことに加えて、開口部（５２０）の回転配向又は角度位置を示すように、ディスプレイ（１１４）を駆動してもよい。このようなレンダリングにおいて、プロセッサ（１１０）は、開口部（５２０）の位置の強調表示を用いて、ディスプレイ（１１４）を駆動し、外側シャフト（５００）の形状及び開口部（５２０）の形状を与えてもよい。
【００４３】
上述のように、各位置センサ（５３０、５４０）はコイルの形態をとることができ、ワイヤはコイル軸の周囲に巻かれる。本実施例では、各位置センサ（５３０、５４０）のコイル軸は、本体（５１０）の長手方向中心軸と平行である。あるいは、各位置センサ（５３０）のコイル軸は、本体（５１０）の長手方向中心軸線と任意のその他の好適な関係を有してもよい。
【００４４】
各位置センサ（５３０、５４０）は、外側シャフト（５００）内の切断部材（３０）の移動を妨げないように、本体（５１０）上又は本体（５１０）内に位置付けられる。単に一例として、各位置センサ（５３０、５４０）は、本体（５１０）の内径に緊密に固定されてもよい。別の単なる例示的実施例として、各位置センサ（５３０、５４０）は、本体（５１０）の側壁に直接一体化されてもよい。更に別の単なる例示的実施例として、各位置センサ（５３０、５４０）は、本体（５１０）の外径に緊密に固定されてもよい。本明細書の教示を考慮することで、位置センサ（５３０、５４０）が本体（５１０）と固定的に連結され得る、又は本体（５１０）内にあり得るその他の好適な方法が、当業者には明らかとなろう。
【００４５】
位置センサ（５３０、５４０）は、電気導管（５５０、５５４）を介してＩＧＳナビゲーションシステム（１００）と通信する。単に一例として、電気導管（５５０、５５４）は、本体（５１０）の長さの少なくとも一部に沿って延びる１本以上のワイヤを備えてもよい。加えて、又は代替的に、電気導管（５５０、５５４）は、本体（５１０）上又は本体（５１０）内に形成された１つ以上の電気トレースを含んでもよい。本明細書の教示を考慮することで、電気導管（５５０、５５４）が取り得るその他の好適な形態が、当業者には明らかとなろう。いくつかの変形形態では、電気導管（５５４）は、有線通信を介してプロセッサ（１１０）と直接連結される。いくつかのその他の変形形態では、電気導管（５５４）は、連結ユニット（１３２）又はその他の無線通信装置などによって、プロセッサ（１１０）と無線で連結される。
【００４６】
Ｃ．垂直位置センサを有する例示的な切断器具シャフト
図８は、外側シャフト（２８）の代わりに、シャフトアセンブリ（１６）に組み込むことができる、別の例示的な代替外側シャフト（６００）を示す。本実施例の外側シャフト（６００）は、下記で説明する差異を除いては外側シャフト（２８）と全く同様に構成され、かつ動作可能であってもよい。本実施例の外側シャフト（６００）は、丸みを帯びた遠位端部（６１２）を有する円柱状本体（６１０）を含む。横方向に配向された窓開口部（６２０）は、遠位端部（６１２）のすぐ近位に形成される。開口部（６２０）は、縁部（６２２）によって画定される。いくつかの変形形態では、縁部（６２２）の少なくとも一部は鋭利である。
【００４７】
外側シャフト（６００）は、切断部材（３０）を受容するように構成されており、ハンドルアセンブリ（１２）に対して固定して定着されるように構成されている。開口部（６２０）は、切断部材（３０）の窓開口部（５４）のサイズ及び位置に対応するように寸法決め及び位置決めされる。駆動アセンブリ（２４）は、切断部材（３０）を駆動して外側シャフト（６００）内で回転させることができる。真空源（２２）は、組織を開口部（５４、６２０）内に引き込むことを支援するために起動されてもよく、縁部（５８、６２２）は、切断部材（３０）が外側シャフト（６００）内で回転する際に開口部（５４、６２０）内に引き込まれる組織等を剪断するように協働してもよい。
【００４８】
外側シャフト（２８）とは異なり、本実施例の外側シャフト（６００）は、位置センサの対（６３０、６４０）を含む。位置センサ（６３０、６４０）は、開口部（６２０）の近位にある外側シャフト（６００）の遠位端部（６１２）の近くに位置する。位置センサ（６３０、６４０）は、本実施例では互いに垂直に配向され、位置センサ（６３０）は、位置センサ（６４０）に対して遠位にある。位置センサ（６３０、６４０）は両方とも電気導管（６５０）と結合され、これは、以下により詳細に説明するように、ＩＧＳナビゲーションシステム（１００）と通信するための経路を提供する。
【００４９】
位置センサ（６３０、６４０）の位置は、本実施例では本体（６１０）に対して固定されている。したがって、本実施例では、位置センサ（６３０、６４０）と開口部（６２０）の中心との間の距離（ｄ４）が固定される。本文脈において、用語「固定された」とは、製造プロセスが完了した後に位置センサ（６３０、６４０）が本体（６１０）に対して移動しないことを示すことを意味し、その結果、距離（ｄ４）は、外科用切断器具の動作中に変化しないことを示すことを意味する。いくつかの変形形態では、距離（ｄ４）は所定である。いくつかの他の変形例では、距離（ｄ４）は所定ではなく、１つの外科用切断器具から別の外科用切断器具までわずかに変化してもよく、例えば、製造公差から予想され得る。このようなシナリオでは、所与の外科用切断器具は、外科用切断器具が医療処置で使用される前に、製造プロセスが完了した後に較正され得る。このような較正プロセスを使用して、手元の特定の外科用切断器具の距離（ｄ４）の正確な値を決定することができる。本明細書の教示を考慮することで、このような較正可能性が実行され得る種々の好適な方法が、当業者には明らかとなろう。
【００５０】
距離（ｄ４）の正確な値を含む（が必ずしもこれらに限定されない）、上述の較正プロセス中に収集された情報は、外科用切断器具自体内に収容されたローカルメモリ装置に記憶することができる。単に一例として、ハンドルアセンブリ（１２）（又はいくつかのその他の構成要素）は、較正情報が記憶されるＥＥＰＲＯＭを含んでもよい。あるいは、その他の任意の好適な種類の記憶装置、その他の任意の好適な位置で使用することもできる。医療処置の開始時に、プロセッサ（１１０）は、記憶装置に問い合わせて、手元の外科用切断器具から較正データを取得することができ、またこのデータを考慮して、位置センサ（６３０、６４０）からの信号を処理して、医師に提示される位置データが可能な限り正確であることを確実にすることができる。手元の特定の外科用切断器具の距離（ｄ４）が、較正プロセスを通して前もって決定された又は決定されたかどうかにかかわらず、手元の特定の外科用切断器具の距離（ｄ４）は、医師が外科用切断器具を用いた医療処置を行う前に、プロセッサ（１１０）によって「既知」であり得る。
【００５１】
各位置センサ（６３０、６４０）は、磁場発生器（２０６）によって発生した交流電磁場に応答して電流を発生させるように構成されたコイルを含んでもよく、これにより、位置センサ（６３０、６４０）は、患者（Ｐ）の頭部（Ｈ）内の外側シャフト（６００）の遠位端部（６１２）の位置を示す電気信号を生成し得る。開口部（６２０）の中心に対するセンサ（６３０、６４０）の位置決めは既知であるため、位置センサ（６３０、６４０）からの信号はまた、患者（Ｐ）の頭部（Ｈ）内の開口部（６２０）の中心の位置を示してもよい。
【００５２】
プロセッサ（１１０）は、患者（Ｐ）の頭部（Ｈ）内の開口部（６２０）の中心の位置を示す位置センサ（６３０、６４０）からの情報を有し、プロセッサ（１１０）は、遠位端部（６１２）が患者（Ｐ）の頭部（Ｈ）内で移動する場合に、ディスプレイ（１１４）を駆動して、患者（Ｐ）の頭部（Ｈ）内の解剖学的構造の画像に対して、開口部（６２０）の中心の位置を実時間で描写してもよい。更に、開口部（６２０）の寸法及び構成は所定であり、またプロセッサ（１１０）が、患者（Ｐ）の頭部（Ｈ）内の開口部（６２０）の中心の位置を示すデータを有することから、プロセッサ（１１０）は、患者（Ｐ）の頭部（Ｈ）内の開口部（６２０）の位置をより明確かつ正確に示すために、開口部（６２０）のグラフィック表現を描写するようにディスプレイ（１１４）を駆動してもよい。
【００５３】
本実施例では、位置センサ（６３０、６４０）は、本体（６１０）の長手方向中心軸から横方向にオフセットされている。したがって、外側シャフト（６００）が本体（６１０）の長手方向中心軸線の周囲を回転する場合（例えば、ハンドルアセンブリ（１２）を把持している操作者が器具（１０）全体を回転させる際）、位置センサ（６３０、６４０）はそのような動きを感知し、それによって、本体（６１０）の長手方向中心軸線の周囲の外側シャフト（６００）の角度位置を示す信号を提供する。換言すれば、位置センサ（６３０、６４０）は、本体（６１０）の長手方向中心軸線の周囲の開口部（６２０）の回転配向又は角度位置を示す。したがって、プロセッサ（１１０）は、患者の頭部内の開口部（６２０）の三次元位置を示すことに加えて、開口部（６２０）の回転配向又は角度位置を示すように、ディスプレイ（１１４）を駆動してもよい。このようなレンダリングにおいて、プロセッサ（１１０）は、開口部（６２０）の位置の強調表示を用いて、ディスプレイ（１１４）を駆動し、外側シャフト（６００）の形状及び開口部（６２０）の形状を与えてもよい。
【００５４】
上述のように、各位置センサ（６３０、６４０）はコイルの形態をとることができ、ワイヤはコイル軸の周囲に巻かれる。本実施例では、位置センサ（６４０）のコイル軸は、本体（６１０）の長手方向中心軸線と平行であるが、一方で、位置センサ（６３０）のコイル軸は、位置センサ（６４０）のコイル軸に垂直である。あるいは、各位置センサ（６３０、６４０）のコイル軸は、本体（６１０）の長手方向中心軸線と、互いに任意のその他の好適な関係を有してもよい。
【００５５】
各位置センサ（６３０、６４０）は、外側シャフト（６００）内の切断部材（３０）の移動を妨げないように、本体（６１０）上又は本体（６１０）内に位置付けられる。単に一例として、各位置センサ（（６３０、６４０）は、本体（６１０）の内径に緊密に固定されてもよい。別の単なる例示的実施例として、各位置センサ（６３０、６４０）は、本体（６１０）の側壁に直接一体化されてもよい。更に別の単なる例示的実施例として、各位置センサ（６３０、６４０）は、本体（６１０）の外径に緊密に固定されてもよい。本明細書の教示を考慮することで、位置センサ（６３０、６４０）が本体（６１０）と固定的に連結され得る、又は本体（６１０）内にあり得るその他の好適な方法が、当業者には明らかとなろう。
【００５６】
位置センサ（６３０、６４０）は、電気導管（６５０）を介してＩＧＳナビゲーションシステム（１００）と通信する。単に一例として、電気導管（６５０）は、本体（６１０）の長さの少なくとも一部に沿って延びる１本以上のワイヤを備えてもよい。加えて、又は代替的に、電気導管（６５０）は、本体（６１０）上又は本体（６１０）内に形成された１つ以上の電気トレースを含んでもよい。本明細書の教示を考慮することで、電気導管（６５０）が取り得るその他の好適な形態が、当業者には明らかとなろう。いくつかの変形形態では、電気導管（６５０）は、有線通信を介してプロセッサ（１１０）と直接連結される。いくつかのその他の変形形態では、電気導管（６５０）は、連結ユニット（１３２）又はその他の無線通信装置などによって、プロセッサ（１１０）と無線で連結される。
【００５７】
Ｄ．螺旋状に配置された位置センサを有する例示的な切断器具のシャフト
図９は、外側シャフト（２８）の代わりに、シャフトアセンブリ（１６）に組み込むことができる、別の例示的な代替外側シャフト（７００）を示す。本実施例の外側シャフト（７００）は、下記で説明する差異を除いては外側シャフト（２８）と全く同様に構成され、かつ動作可能であってもよい。本実施例の外側シャフト（７００）は、丸みを帯びた遠位端部（７１２）を有する円柱状本体（７１０）を含む。横方向に配向された窓開口部（７２０）は、遠位端部（７１２）のすぐ近位に形成される。開口部（７２０）は、縁部（７２２）によって画定される。いくつかの変形形態では、縁部（７２２）の少なくとも一部は鋭利である。
【００５８】
外側シャフト（７００）は、切断部材（３０）を受容するように構成されており、ハンドルアセンブリ（１２）に対して固定して定着されるように構成されている。開口部（７２０）は、切断部材（３０）の窓開口部（５４）のサイズ及び位置に対応するように寸法決め及び位置決めされる。駆動アセンブリ（２４）は、切断部材（３０）を駆動して外側シャフト（７００）内で回転させることができる。真空源（２２）は、組織を開口部（５４、７２０）内に引き込むことを支援するために起動されてもよく、縁部（５８、７２２）は、切断部材（３０）が外側シャフト（７００）内で回転する際に開口部（５４、７２０）内に引き込まれる組織等を剪断するように協働してもよい。
【００５９】
外側シャフト（２８）とは異なり、本実施例の外側シャフト（７００）は、位置センサ（７３０、７４０、７５０、７６０、７７０）のセットを含む。位置センサ（７３０）は、開口部（７２０）の近位にある外側シャフト（７００）の遠位端部（７１２）の近くに位置する。位置センサ（７４０、７５０、７６０、７７０）は、螺旋状の経路に沿って位置付けられた位置センサ（７３０）の近位にある。位置センサ（７３０、７４０、７５０、７６０、７７０）は、電気導管（７８０）と連結され、これは、以下により詳細に説明するように、ＩＧＳナビゲーションシステム（１００）と通信するための経路を提供する。
【００６０】
位置センサ（７３０、７４０、７５０、７６０、７７０）の位置は、本実施例では本体（７１０）に対して固定されている。したがって、本実施例では、各位置センサ（７３０、７４０、７５０、７６０、７７０）と開口部（７２０）の中心との間の距離が固定される。本文脈において、用語「固定された」とは、製造プロセスが完了した後に位置センサ（７３０、７４０、７５０、７６０、７７０）が本体（７１０）に対して移動しないことを示すことを意味し、その結果、各位置センサ（７３０、７４０、７５０、７６０、７７０）と開口部（７２０）の中心との間の距離は、外科用切断器具の動作中に変化しないことを示すことを意味する。いくつかの変形形態では、各位置センサ（７３０、７４０、７５０、７６０、７７０）と開口部（７２０）の中心との間の距離は前もって決定されている。いくつかのその他の変形形態では、各位置センサ（７３０、７４０、７５０、７６０、７７０）と開口部（７２０）の中心との間の距離は、前もって決定されているものではなく、１つの外科用切断器具から別の外科用切断器具までわずかに変化してもよく、例えば、製造公差から予想され得る。このようなシナリオでは、所与の外科用切断器具は、外科用切断器具が医療処置で使用される前に、製造プロセスが完了した後に較正され得る。このような較正プロセスを使用して、手元の特定の外科用切断器具に関する、各位置センサ（７３０、７４０、７５０、７６０、７７０）と開口部（７２０）の中心との間の距離の正確な値を決定することができる。本明細書の教示を考慮することで、このような較正可能性が実行され得る種々の好適な方法が、当業者には明らかとなろう。
【００６１】
各位置センサ（７３０、７４０、７５０、７６０、７７０）と開口部（７２０）の中心との距離の正確な値を含む（が必ずしもこれらに限定されない）、上述の較正プロセス中に収集された情報は、外科用切断器具自体内に収容されたローカルメモリ装置に記憶することができる。単に一例として、ハンドルアセンブリ（１２）（又はいくつかのその他の構成要素）は、較正情報が記憶されるＥＥＰＲＯＭを含んでもよい。あるいは、その他の任意の好適な種類の記憶装置、その他の任意の好適な位置で使用することもできる。医療処置の開始時に、プロセッサ（１１０）は、記憶装置に問い合わせて、手元の外科用切断器具から較正データを取得することができ、またこのデータを考慮して、位置センサ（７３０、７４０、７５０、７６０、７７０）からの信号を処理して、医師に提示される位置データが可能な限り正確であることを確実にすることができる。手元の特定の外科用切断器具に関する各位置センサ（７３０、７４０、７５０、７６０、７７０）と開口部（７２０）の中心との間の距離が、較正プロセスを介して前もって決定された又は決定されたかどうかにかかわらず、特定の外科用切断器具に関する各位置センサ（７３０、７４０、７５０、７６０、７７０）と開口部（７２０）の中心との間の距離は、医師が外科用切断器具を用いた医療処置を行う前に、プロセッサ（１１０）によって「既知」であり得る。
【００６２】
各位置センサ（７３０、７４０、７５０、７６０、７７０）は、磁場発生器（２０６）によって発生した交流電磁場に応答して電流を発生させるように構成されたコイルを含んでもよく、これにより、位置センサ（７３０、７４０、７５０、７６０、７７０）は、患者（Ｐ）の頭部（Ｈ）内の外側シャフト（７００）の遠位端部（７１２）の位置を示す電気信号を生成し得る。開口部（７２０）の中心に対するセンサ（７３０、７４０、７５０、７６０、７７０）の位置決めは既知であるため、位置センサ（７３０、７４０、７５０、７６０、７７０）からの信号はまた、患者（Ｐ）の頭部（Ｈ）内の開口部（７２０）の中心の位置を示してもよい。
【００６３】
プロセッサ（１１０）は、患者（Ｐ）の頭部（Ｈ）内の開口部（７２０）の中心の位置を示す位置センサ（７３０、７４０、７５０、７６０、７７０）からの情報を有し、プロセッサ（１１０）は、遠位端部（６１２）が患者（Ｐ）の頭部（Ｈ）内で移動する場合に、ディスプレイ（１１４）を駆動して、患者（Ｐ）の頭部（Ｈ）内の解剖学的構造の画像に対して、開口部（７２０）の中心の位置を実時間で描写してもよい。更に、開口部（７２０）の寸法及び構成は所定であり、またプロセッサ（１１０）が、患者（Ｐ）の頭部（Ｈ）内の開口部（７２０）の中心の位置を示すデータを有することから、プロセッサ（１１０）は、患者（Ｐ）の頭部（Ｈ）内の開口部（７２０）の位置をより明確かつ正確に示すために、開口部（７２０）のグラフィック表現を描写するようにディスプレイ（１１４）を駆動してもよい。
【００６４】
本実施例では、位置センサ（７３０、７４０、７５０、７６０、７７０）は、本体（７１０）の長手方向中心軸から横方向にオフセットされている。したがって、外側シャフト（７００）が本体（７１０）の長手方向中心軸線の周囲を回転する場合（例えば、ハンドルアセンブリ（１２）を把持している操作者が器具（１０）全体を回転させる際）、位置センサ（７３０、７４０、７５０、７６０、７７０）はそのような動きを感知し、それによって、本体（７１０）の長手方向中心軸線の周囲の外側シャフト（７００）の角度位置を示す信号を提供する。換言すれば、位置センサ（７３０、７４０、７５０、７６０、７７０）は、本体（７１０）の長手方向中心軸線の周囲の開口部（７２０）の回転配向又は角度位置を示す。したがって、プロセッサ（１１０）は、患者の頭部内の開口部（７２０）の三次元位置を示すことに加えて、開口部（７２０）の回転配向又は角度位置を示すように、ディスプレイ（１１４）を駆動してもよい。このようなレンダリングにおいて、プロセッサ（１１０）は、開口部（７２０）の位置の強調表示を用いて、ディスプレイ（１１４）を駆動し、外側シャフト（７００）の形状及び開口部（７２０）の形状を与えてもよい。
【００６５】
上述のように、各位置センサ（７３０、７４０、７５０、７６０、７７０）はコイルの形態をとることができ、ワイヤはコイル軸の周囲に巻かれる。本実施例では、各位置センサ（７３０、７４０、７５０、７６０、７７０）のコイル軸は、全ての位置センサ（７３０、７４０、７５０、７６０、７７０）のコイル軸が互いに平行であるように、本体（７１０）の長手方向中心軸線と平行である。あるいは、各位置センサ（７３０、７４０、７５０、７６０、７７０）のコイル軸は、本体（７１０）の長手方向中心軸線と、互いに任意の他の好適な関係を有してもよい。この例では、５つの位置センサ（７３０、７４０、７５０、７６０、７７０）が示されているが、外側シャフト（７００）は、代わりに、２を超える任意の数を含む任意のその他の好適な数の位置センサを含んでもよい。このような複数の位置センサは、螺旋状の経路に沿って配置されてもよい、又はそうでなければ、角度の付いた状態で、かつ長手方向に、互いからオフセットされてもよい。
【００６６】
各位置センサ（７３０、７４０、７５０、７６０、７７０）は、外側シャフト（７００）内の切断部材（３０）の移動を妨げないように、本体（７１０）上又は本体（７１０）内に位置付けられる。単に一例として、各位置センサ（７３０、７４０、７５０、７６０、７７０）は、本体（７１０）の内径に緊密に固定されてもよい。別の単なる例示的実施例として、各位置センサ（７３０、７４０、７５０、７６０、７７０）は、本体（７１０）の側壁に直接一体化されてもよい。更に別の単なる例示的実施例として、各位置センサ（７３０、７４０、７５０、７６０、７７０）は、本体（７１０）の外径に緊密に固定されてもよい。本明細書の教示を考慮することで、位置センサ（７３０、７４０、７５０、７６０、７７０）が本体（７１０）と固定的に連結され得る、又は本体（７１０）内にあり得るその他の好適な方法が、当業者には明らかとなろう。
【００６７】
位置センサ（７３０、７４０、７５０、７６０、７７０）は、電気導管（７８０）を介してＩＧＳナビゲーションシステム（１００）と通信する。単に一例として、電気導管（７８０）は、本体（７１０）の長さの少なくとも一部に沿って延びる１本以上のワイヤを備えてもよい。加えて、又は代替的に、電気導管（７８０）は、本体（７１０）上又は本体（７１０）内に形成された１つ以上の電気トレースを含んでもよい。本明細書の教示を考慮することで、電気導管（７８０）が取り得るその他の好適な形態が、当業者には明らかとなろう。いくつかの変形形態では、電気導管（７８０）は、有線通信を介してプロセッサ（１１０）と直接連結される。いくつかのその他の変形形態では、電気導管（７８０）は、連結ユニット（１３２）又はその他の無線通信装置などによって、プロセッサ（１１０）と無線で連結される。
【００６８】
シャフト（７００）の長さに沿った異なる位置に位置する位置センサ（７３０、７４０、７５０、７６０、７７０）のような、シャフトの長さに沿った異なる位置に位置する複数の位置センサを含む変形形態は、屈曲するように動作可能なシャフトの文脈において、特に有用であり得る。これは、受動的に可撓性のシャフト、展性であるシャフト、及び（例えば、プルワイヤからの印加張力に基づいて等の）能動的に操舵可能なシャフトを含んでもよい。能動的に操舵可能なシャフトを有するシェービング器具の例は、その開示が全体として本明細書に参考として組み込まれる、米国特許仮出願番号６２／７７５，１３５号、表題：「Ｂｉ−Ｄｉｒｅｃｔｉｏｎａｌ  Ａｒｔｉｃｕｌａｔｉｎｇ  Ｓｕｒｇｉｃａｌ  Ｓｈａｖｅｒ」（２０１８年１２月４日）に記載されている。シャフトがどのように屈曲するかにかかわらず、シャフトが屈曲された場合、複数の位置センサは、シャフトの屈曲角度及び屈曲構成を効果的に示す位置データを提供してもよい。換言すれば、医療処置前又は医療処置中にシャフト構成がアドホックベースで変化する場合であっても、複数の位置センサは依然として正確な位置データを実時間で提供し、プロセッサ（１１０）が、シャフトの屈曲構成、並びにシャフトの開口（又はその他の構造的特徴部）の位置及び配向を実時間で正確に示すようにディスプレイ（１１４）を駆動することを可能にし得る。
【００６９】
ＩＶ．例示的な組み合わせ
以下の実施例は、本明細書の教示を組み合わせる、又は適用することができる、種々の非網羅的な方法に関する。以下の実施例は、本出願における又は本出願の後の出願におけるどの時点でも提示され得る、いずれの請求項の適用範囲をも限定することを目的としたものではないと理解されよう。一切の棄権を意図するものではない。以下の実施例は、単なる例示の目的で与えられるものにすぎない。本明細書の種々の教示は、その他の多くの方法で構成及び適用が可能であると考えられる。また、いくつかの変形形態では、以下の実施例において言及される特定の特徴を省略してよいことも考えられる。したがって、本発明者又は本発明者の利益の継承者により、後日、そうである旨が明示的に示されない限り、以下に言及される態様又は特徴のいずれも重要なものとして見なされるべきではない。以下に言及される特徴以外の更なる特徴を含む請求項が本出願において、又は本出願に関連する後の出願において示される場合、それらの更なる特徴は、特許性に関連するいかなる理由によっても追加されたものとして仮定されるべきではない。
【実施例１】
【００７０】
（ａ）長手方向軸線を画定する細長いシャフトであって、（ｉ）遠位端部と、（ｉｉ）開口部と、（ｉｉｉ）ルーメンと、を含む、細長いシャフトと、（ｂ）第１の位置センサであって、第１の位置センサは、長手方向軸線から横方向にオフセットされており、第１の位置センサは、開口部から既知の距離で細長いシャフトに対して固定的に定着され、第１の位置センサは、細長いシャフトの三次元空間内の位置を示す信号を生成するように構成されている、第１の位置センサと、を備える装置。
【実施例２】
【００７１】
遠位端部が閉鎖され、開口部が遠位端部の近位にある、実施例１に記載の装置。
【実施例３】
【００７２】
ルーメン内に配設された切断要素を更に備え、切断要素は、細長いシャフトの開口部を通って突出する組織を切断するように構成されている、実施例１〜２のいずれか１つ以上に記載の装置。
【実施例４】
【００７３】
切断要素が、切断縁部を有する横方向に配向された窓を含み、細長いシャフトの開口部は横方向に配向され、切断縁部と協働するように構成された縁部を含み、それによって、細長いシャフトの開口部を通って突出する組織を切断する、実施例３に記載の装置。
【実施例５】
【００７４】
切断要素が、ルーメン内で回転し、それによって、細長いシャフトの開口部を通って突出する組織を切断するように構成されている、実施例３〜４のいずれか１つ以上に記載の装置。
【実施例６】
【００７５】
ルーメンと流体連通する真空源を更に備え、細長いシャフトは、細長いシャフトの開口部を通って真空源から吸引を適用するように動作可能である、実施例１〜５のいずれか１つ以上に記載の装置。
【実施例７】
【００７６】
第１の位置センサがワイヤコイルを備える、実施例１〜６のいずれか１つ以上に記載の装置。
【実施例８】
【００７７】
ワイヤコイルが、交流磁場に応答して電気信号を生成するように構成され、電気信号は、三次元空間内の細長いシャフトの位置を示す、実施例７に記載の装置。
【実施例９】
【００７８】
ワイヤコイルが第１のコイル軸の周囲に巻かれ、第１のコイル軸が細長いシャフトの長手方向軸線と平行である、実施例７〜８のいずれか１つ以上に記載の装置。
【実施例１０】
【００７９】
第２の位置センサを更に備え、第２の位置センサは長手方向軸線から横方向にオフセットされており、第２の位置センサは、開口部から既知の距離で細長いシャフトに対して固定的に定着され、第２の位置センサは、細長いシャフトの三次元空間内の位置を示す信号を生成するように構成されている、実施例１〜９のいずれか１つ以上に記載の装置。
【実施例１１】
【００８０】
第１の位置センサ及び第２の位置センサが、長手方向軸線を中心に互いから角度的にオフセットされている、実施例１０に記載の装置。
【実施例１２】
【００８１】
第１の位置センサ及び第２の位置センサが両方とも、細長いシャフトの長さに沿って同じ長手方向位置に位置している、実施例１１に記載の装置。
【実施例１３】
【００８２】
第１の位置センサが、第１のコイル軸を中心に巻かれた第１のワイヤコイルを備え、第２の位置センサは、第２のコイル軸を中心に巻かれた第２のワイヤコイルを備える、実施例１１〜１２のいずれか１つ以上に記載の装置。
【実施例１４】
【００８３】
第１のコイル軸及び第２のコイル軸が互いに平行である、請求項１３に記載の器具。
【実施例１５】
【００８４】
第１のコイル軸及び第２のコイル軸が長手方向軸線と平行である、実施例１３〜１４のいずれか１つ以上に記載の器具。
【実施例１６】
【００８５】
第１の位置センサが、第１のコイル軸を中心に巻かれた第１のワイヤコイルを備え、第２の位置センサは、第２のコイル軸を中心に巻かれた第２のワイヤコイルを備え、第１のコイル軸は長手方向軸線と平行であり、第２のコイル軸は第１のコイル軸に垂直である、実施例１０に記載の装置。
【実施例１７】
【００８６】
第３の位置センサを更に備え、第３の位置センサは長手方向軸線から横方向にオフセットされており、第３の位置センサは、開口部から既知の距離で細長いシャフトに対して固定的に定着され、第３の位置センサは、細長いシャフトの三次元空間内の位置を示す信号を生成するように構成されている、実施例１０〜１５のいずれか１つ以上に記載の装置。
【実施例１８】
【００８７】
第１の位置センサ、第２の位置センサ、及び第３の位置センサが、長手方向軸線を中心に延在する螺旋に沿って配置されている、実施例１７に記載の装置。
【実施例１９】
【００８８】
（ａ）長手方向軸線を画定する第１の細長いシャフトであって、（ｉ）遠位端部と、（ｉｉ）開口部と、を含む、細長いシャフトと、（ｂ）第１の細長いシャフト内に配置された第２の細長いシャフトであって、第２の細長いシャトは第１の細長いシャフト内で回転可能であり、第２の細長いシャフトは切断縁部を含み、切断縁部は、開口部を通って突出する組織を切断するように構成されている、第２の細長いシャフトと、（ｃ）位置センサであって、位置センサは、長手方向軸線から横方向にオフセットされ、位置センサは、開口部から既知の距離で第１の細長いシャフトに対して固定的に定着され、位置センサは、第１の細長いシャフトの三次元空間内の位置を示す信号を生成するように構成されている、位置センサと、を備える装置。
【実施例２０】
【００８９】
（ａ）長手方向軸線を画定する細長いシャフトであって、（ｉ）遠位端部と、（ｉｉ）開口部と、（ｉｉｉ）ルーメンと、を含む、細長いシャフトと、（ｂ）第１の位置センサであって、第１の位置センサは長手方向軸線から横方向にオフセットされ、第１の位置センサは、開口部から既知の距離で細長いシャフトに対して固定的に定着され、第１の位置センサは、三次元空間内の細長いシャフトの位置を示す信号を生成するように構成されている、第１の位置センサと、（ｃ）第２の位置センサであって、第２の位置センサは長手方向軸線から横方向にオフセットされており、第２の位置センサは、開口部から既知の距離で細長いシャフトに対して固定的に定着され、第２の位置センサは、細長いシャフトの三次元空間内の位置を示す信号を生成するように構成されており、第２位置センサは、長手方向寸法又は角度寸法の一方又は両方に沿って第２位置センサからオフセットされている、第２位置センサと、を備える装置。
【００９０】
Ｖ．その他
本明細書に記載された実施例のうちのいずれも、上述のものに加えて又はそれに代えて、種々のその他の特徴を含み得ることが理解されるべきである。単に一例として、本明細書に記載された実施例のうちのいずれも、本明細書中に、その全体が参考として組み込まれる種々の参考文献のいずれかに開示されている種々の特徴のうちの１つ以上を含むこともできる。
【００９１】
本明細書に記載された教示、表現、実施形態、実施例などのうちのいずれか１つ以上を、本明細書に記載されたその他の教示、表現、実施形態、実施例などのうちのいずれか１つ以上と組み合わせることができる点が、理解されるべきである。したがって、上記の教示、表現、実施形態、実施例などは、互いに対して独立して考慮されるべきではない。本明細書の教示を考慮することで、本明細書の教示を組み合わせることができる種々の好適な方式が、当業者には容易に明らかとなろう。このような修正及び変形形態は、「特許請求の範囲」内に含まれるものとする。
【００９２】
その開示が全体として本明細書に参考として組み込まれると言及されるいかなる特許、公報、又はその他の開示内容も、全体的に又は部分的に、組み込まれる内容が現行の定義、見解、又は本開示に記載されたその他の開示内容とあくまで矛盾しない範囲でのみ、本明細書に組み込まれると理解されるべきである。それ自体、また必要な範囲で、本明細書に明瞭に記載された開示内容は、本明細書に参考として組み込まれるあらゆる矛盾する記載に優先するものとする。その開示が全体として本明細書に参考として組み込まれると言及されているが、現行の定義、見解、又は本明細書に記載されたその他の開示内容と矛盾する任意の内容、又はそれらの部分は、組み込まれた内容と現行の開示内容との間に矛盾が生じない範囲においてのみ、組み込まれるものとする。
【００９３】
本明細書に開示された装置の変形形態は、１回の使用後に処分されるように設計するか又は複数回使用されるように設計することができる。変形形態は、いずれか又は両方の場合においても、少なくとも１回の使用後に再利用のために再調整され得る。再調整は、装置の分解工程、それに続く特定の部品の洗浄又は交換工程、及びその後の再組み立て工程の、任意の組み合わせを含んでもよい。特に、装置の変形形態は、分解することができ、かつ、装置の任意の数の特定の部品若しくは部分を、任意の組み合わせにおいて選択的に交換又は取り外してもよい。特定の部分を洗浄時及び／又は交換時に、装置の変形形態は、再調整用の施設において、又は外科手技の直前に外科チームによってのどちらかで、その後の使用のために再組み立てすることができる。当業者であれば、装置の再調整において、分解、洗浄／交換、及び再組み立てのための種々の技術を利用することができることを理解するであろう。このような技術の使用、及び結果として得られる再調整された装置は、全て本発明の範囲内にある。
【００９４】
単に一例として、本明細書に記載された変形形態は、手術前に処置してもよい。まず、新品又は使用済みの器具を入手し、必要に応じて洗浄してもよい。次に、器具を滅菌してもよい。１つの滅菌技術では、器具は、プラスチックバッグ又はＴＹＶＥＫバッグなど、閉鎖され密封された容器に入れられる。次に、容器及び器具を、γ線、Ｘ線、又は高エネルギー電子などの容器を透過し得る放射線野に置いてもよい。放射線は、器具上及び容器内の細菌を死滅させてもよい。この後、滅菌済みの器具を滅菌容器内で保管してもよい。密封容器は、手術設備で開封されるまで器具を滅菌状態に保ってもよい。β線若しくはγ線、エチレンオキシド、又は水蒸気が挙げられるがこれらに限定されない、当該技術分野で既知のその他の任意の技術を用いて、装置を滅菌してもよい。
【００９５】
本発明の種々の変形形態について図示し説明したが、本明細書で説明した方法及びシステムの更なる応用が、当業者による適切な改変形態により、本発明の範囲から逸脱することなく実現可能である。このような可能な改変のうちのいくつかについて述べたが、その他の改変も当業者には明らかであろう。例えば、上述の実施例、変形形態、幾何形状、材料、寸法、比率、工程などは例示的なものであって、必須ではない。したがって、本発明の範囲は、以下の特許請求の範囲の観点から考慮されるべきものであり、本明細書及び図面に示され記載された構造及び動作の細部に限定されないものとして理解される。
【００９６】
〔実施の態様〕
（１）  装置であって、
（ａ）長手方向軸線を画定する細長いシャフトであって、
（ｉ）遠位端部と、
（ｉｉ）開口部と、
（ｉｉｉ）ルーメンと、を含む、細長いシャフトと、
（ｂ）第１の位置センサであって、前記第１の位置センサは前記長手方向軸線から横方向にオフセットされており、前記第１の位置センサは、前記開口部から既知の距離で前記細長いシャフトに対して固定的に定着され、前記第１の位置センサは、前記細長いシャフトの三次元空間内の位置を示す信号を生成するように構成されている、第１の位置センサと、を備える装置。
（２）  前記遠位端部が閉鎖され、前記開口部が前記遠位端部の近位にある、実施態様１に記載の装置。
（３）  前記ルーメン内に配設された切断要素を更に備え、前記切断要素は、前記細長いシャフトの前記開口部を通って突出する組織を切断するように構成されている、実施態様１に記載の装置。
（４）  前記切断要素が、切断縁部を有する横方向に配向された窓を含み、前記細長いシャフトの前記開口部は横方向に配向され、前記切断縁部と協働するように構成された縁部を含み、それによって、前記細長いシャフトの前記開口部を通って突出する組織を切断する、実施態様３に記載の装置。
（５）  前記切断要素が、前記ルーメン内で回転し、それによって、前記細長いシャフトの前記開口部を通って突出する組織を切断するように構成されている、実施態様３に記載の装置。
【００９７】
（６）  前記ルーメンと流体連通する真空源を更に備え、前記細長いシャフトは、前記細長いシャフトの前記開口部を通って前記真空源から吸引を適用するように動作可能である、実施態様１に記載の装置。
（７）  前記第１の位置センサが、ワイヤコイルを備える、実施態様１に記載の装置。
（８）  前記ワイヤコイルが、交流磁場に応答して電気信号を生成するように構成され、前記電気信号は、三次元空間内の前記細長いシャフトの位置を示す、実施態様７に記載の装置。
（９）  前記ワイヤコイルが第１のコイル軸の周囲に巻かれ、前記第１のコイル軸が前記細長いシャフトの前記長手方向軸線と平行である、実施態様７に記載の装置。
（１０）  第２の位置センサを更に備え、前記第２の位置センサは前記長手方向軸線から横方向にオフセットされており、前記第２の位置センサは、前記開口部から既知の距離で前記細長いシャフトに対して固定的に定着され、前記第２の位置センサは、前記細長いシャフトの三次元空間内の位置を示す信号を生成するように構成されている、実施態様１に記載の装置。
【００９８】
（１１）  前記第１の位置センサ及び前記第２の位置センサが、前記長手方向軸線を中心に互いから角度的にオフセットされている、実施態様１０に記載の装置。
（１２）  前記第１の位置センサ及び前記第２の位置センサが両方とも、前記細長いシャフトの長さに沿って同じ長手方向位置に位置している、実施態様１１に記載の装置。
（１３）  前記第１の位置センサが、第１のコイル軸を中心に巻かれた第１のワイヤコイルを備え、前記第２の位置センサは、第２のコイル軸を中心に巻かれた第２のワイヤコイルを備える、実施態様１１に記載の装置。
（１４）  前記第１のコイル軸及び前記第２のコイル軸が互いに平行である、実施態様１３に記載の装置。
（１５）  前記第１のコイル軸及び前記第２のコイル軸が前記長手方向軸線と平行である、実施態様１３に記載の装置。
【００９９】
（１６）  前記第１の位置センサが、第１のコイル軸を中心に巻かれた第１のワイヤコイルを備え、前記第２の位置センサは、第２のコイル軸を中心に巻かれた第２のワイヤコイルを備え、前記第１のコイル軸は前記長手方向軸線と平行であり、前記第２のコイル軸は前記第１のコイル軸に垂直である、実施態様１０に記載の装置。
（１７）  第３の位置センサを更に備え、前記第３の位置センサは前記長手方向軸線から横方向にオフセットされており、前記第３の位置センサは、前記開口部から既知の距離で前記細長いシャフトに対して固定的に定着され、前記第３の位置センサは、前記細長いシャフトの三次元空間内の位置を示す信号を生成するように構成されている、実施態様１０に記載の装置。
（１８）  前記第１の位置センサ、前記第２の位置センサ、及び前記第３の位置センサが、前記長手方向軸線を中心に延在する螺旋に沿って配置されている、実施態様１７に記載の装置。
（１９）  装置であって、
（ａ）長手方向軸線を画定する第１の細長いシャフトであって、
（ｉ）遠位端部と、
（ｉｉ）開口部と、を含む、第１の細長いシャフトと、
（ｂ）前記第１の細長いシャフト内に配設された第２の細長いシャフトであって、前記第２の細長いシャフトは前記第１の細長いシャフト内で回転可能であり、前記第２の細長いシャフトは切断縁部を含み、前記切断縁部は、前記開口部を通って突出する組織を切断するように構成されている、第２の細長いシャフトと、
（ｃ）位置センサであって、前記位置センサは前記長手方向軸線から横方向にオフセットされ、前記位置センサは、前記開口部から既知の距離で前記第１の細長いシャフトに対して固定的に定着され、前記位置センサは、前記第１の細長いシャフトの三次元空間内の位置を示す信号を生成するように構成されている、位置センサと、を備える装置。
（２０）  装置であって、
（ａ）長手方向軸線を画定する細長いシャフトであって、
（ｉ）遠位端部と、
（ｉｉ）開口部と、
（ｉｉｉ）ルーメンと、を含む、細長いシャフトと、
（ｂ）第１の位置センサであって、前記第１の位置センサは前記長手方向軸線から横方向にオフセットされており、前記第１の位置センサは、前記開口部から既知の距離で前記細長いシャフトに対して固定的に定着され、前記第１の位置センサは、前記細長いシャフトの三次元空間内の位置を示す信号を生成するように構成されている、第１の位置センサと、
（ｃ）第２の位置センサであって、前記第２の位置センサは前記長手方向軸線から横方向にオフセットされており、前記第２の位置センサは、前記開口部から既知の距離で前記細長いシャフトに対して固定的に定着され、前記第２の位置センサは、前記細長いシャフトの三次元空間内の位置を示す信号を生成するように構成されている、第２の位置センサと、を備えており、
前記第２の位置センサは、長手方向寸法又は角度寸法の一方又は両方に沿って前記第２の位置センサからオフセットされている、装置。
【図１】
2022501155.tif 000003
【図２】
2022501155.tif 000004
【図３】
2022501155.tif 000005
【図４】
2022501155.tif 000006
【図５】
2022501155.tif 000007
【図６】
2022501155.tif 000008
【図７】
2022501155.tif 000009
【図８】
2022501155.tif 000010
【図９】
2022501155.tif 000011
【国際調査報告】
2022501155.tif 000012
2022501155.tif 000013
2022501155.tif 000014
2022501155.tif 000015
2022501155.tif 000016